(57)【要約】【課題】光源体から発光される光から複数種類の所定の色の光を、光の共振により増幅させて取り出すことができる発光装置を提供する。【解決手段】バックライト１３はボトムエミッション構造で、基板２２に第１電極２４、有機ＥＬ層２５、第２電極２６、透明なバッファー層２７、反射ミラー２８が順に形成されてパッシベーション膜２９により封止されている。第１電極２４及び第２電極２６はハーフミラー状に形成されている。第１電極２４及び第２電極２６の有機ＥＬ層２５側の面２４ａ，２６ａを反射面として第１の共振層３１が構成され、第２電極２６及び反射ミラー２８のバッファー層２７側の面２６ｂ，２８ａを反射面として第２の共振層３２が構成されている。また、面２４ａ，２８ａを反射面として第３の共振層３３が構成されている。第１の共振層３１は青色光、第２の共振層３２は緑色光、第３の共振層３３は青色光を共振させる膜厚に形成されている。【選択図】　　　図２
2004127588.tif 000002
【特許請求の範囲】
【請求項１】
光源体と、所定の波長の光を共振する共振層とを有する発光装置。
【請求項２】
前記光源体は白色光を発する請求項１に記載の発光装置。
【請求項３】
前記光源体が有機ＥＬ素子である請求項１又は請求項２に記載の発光装置。
【請求項４】
有機ＥＬ素子の有機ＥＬ層が、少なくとも一つの共振層を兼ねている請求項３に記載の発光装置。
【請求項５】
前記共振層を複数有し、前記各共振層は、共振させる波長が、少なくとも他の一の共振層とは異なる請求項１〜請求項４のいずれか一項に記載の発光装置。
【請求項６】
複数の前記共振層が、重なる方向において互いに隣接されて形成されている請求項４又は請求項５に記載の発光装置。
【請求項７】
複数の前記共振層が、重なる方向において互いに離間した位置に形成されている請求項４又は請求項５に記載の発光装置。
【請求項８】
光取り出し側に設けられた一部光透過性の反射体の反射面と、前記側とは反対側に設けられた一部光透過性の反射体の反射面とが相対向され、所定の波長の光を共振する共振層を有する請求項１〜請求項７のいずれか一項に記載の発光装置。
【請求項９】
光取り出し側に設けられた一部光透過性の反射体の反射面と、前記側とは反対側に設けられた全反射ミラーの反射面とが相対向され、所定の波長の光を共振する共振層を有する請求項１〜請求項７のいずれか一項に記載の発光装置。
【請求項１０】
前記反射体のうち少なくとも一つは、複数の前記共振層の反射体として用いられている請求項８又は請求項９に記載の発光装置。
【請求項１１】
前記光源体は電極を備え、一又は複数の反射体は、前記光源体の電極を兼ねている請求項８〜請求項１０のいずれか一項に記載の発光装置。
【請求項１２】
光源体を有するとともに、光の取り出し側から順に第１の反射体、第２の反射体、第３の反射体を備え、前記各反射体は一部光透過性で、前記第２の反射体は両面が反射面で、前記第１、第３の反射体の反射面と相対向し、前記第１の反射体と前記第２の反射体との相対向する前記反射面間の距離ｔ１、前記第２の反射体と前記第３の反射体との相対向する前記反射面間の距離ｔ２、共振させる第１の光の波長λ１、第２の光の波長λ２、第３の光の波長λ３が以下の関係
ｔ１＝（ｎ１×λ１）／２
ｔ２＝（ｎ２×λ２）／２
ｔ１＋ｔ２＝（ｎ３×λ３）／２
ただし、ｎ１、ｎ２、ｎ３は自然数
を有する発光装置。
【請求項１３】
光源体を有するとともに、光の取り出し側から順に第１の反射体、第２の反射体、第３の反射体を備え、前記第１及び第２の反射体は一部光透過性で、前記第３の反射体は全反射ミラーで、前記第２の反射体は両面が反射面で、前記第１、第３の反射体の反射面と相対向し、前記第１の反射体と前記第２の反射体との相対向する前記反射面間の距離ｔ１、前記第２の反射体と前記第３の反射体との相対向する前記反射面間の距離ｔ２、共振させる第１の光の波長λ１、第２の光の波長λ２、第３の光の波長λ３が以下の関係
ｔ１＝（ｎ１×λ１）／２
ｔ２＝（ｎ２×λ２）／２
ｔ１＋ｔ２＝（ｎ３×λ３）／２
ただし、ｎ１、ｎ２、ｎ３は自然数
を有する発光装置。
【請求項１４】
光源体を有するとともに、複数の一部光透過性の反射体を重なる方向に有し、波長λ１の光、波長λ２の光、波長λ３の光を共振し、前記λ１の光を共振する反射体間の距離をｔ１、前記λ２の光を共振する反射体間の距離をｔ２、前記λ３の光を共振する反射体間の距離をｔ３とするとき、以下の関係式
ｔ１＝（ｍ１×λ１）／２
ｔ２＝（ｍ２×λ２）／２
ｔ３＝（ｍ３×λ３）／２
ただし、ｍ１、ｍ２、ｍ３は自然数
が成立する発光装置。
【請求項１５】
光源体を有するとともに、複数の反射体を重なる方向に有し、前記反射体のうち光の取り出し側と反対側の反射体を全反射ミラー、他の反射体を一部光透過性とし、波長λ１の光、波長λ２の光、波長λ３の光を共振し、前記λ１の光を共振する反射体間の距離をｔ１、前記λ２の光を共振する反射体間の距離をｔ２、前記λ３の光を共振する反射体間の距離をｔ３とするとき、以下の関係式
ｔ１＝（ｍ１×λ１）／２
ｔ２＝（ｍ２×λ２）／２
ｔ３＝（ｍ３×λ３）／２
ただし、ｍ１、ｍ２、ｍ３は自然数
が成立する発光装置。
【請求項１６】
前記反射体のうち少なくとも一つは、複数の波長の光を共振する反射体として用いられている請求項１４又は請求項１５に記載の発光装置。
【請求項１７】
共振させる前記波長λ１，λ２，λ３の光は、赤色光、青色光及び緑色光である請求項１２〜請求項１６のいずれか一項に記載の発光装置。
【請求項１８】
液晶表示部の背後に、バックライトとして請求項１〜請求項１７のいずれか一項に記載の発光装置を備えた表示装置。
【請求項１９】
液晶表示部の背後に、バックライトとして請求項８、請求項１２及び請求項１４のいずれか一項に記載の発光装置を備えた表示装置であって、光の取り出し側とは反対側に全反射ミラーを備えた表示装置。
【請求項２０】
前記液晶表示部はカラーフィルタを有し、前記光源体から発光される光は複数の色の光が混合されており、前記カラーフィルタは、前記発光装置で共振された光の少なくとも一つが透過される請求項１８又は請求項１９に記載の表示装置。
【請求項２１】
前記カラーフィルタの色はＲ、Ｇ、Ｂである請求項２０に記載の表示装置。
【請求項２２】
請求項１〜請求項１７のいずれか一項に記載の発光装置を光源として備えた照明装置。
【発明の詳細な説明】
【０００１】
【発明の属する技術分野】
本発明は、発光装置、表示装置及び照明装置に関する。
【０００２】
【従来の技術】
従来、反射型の液晶表示装置や透過型の液晶表示装置、半透過型液晶表示装置が提案されている（例えば、特許文献１参照。）。また、透過型の液晶表示装置や半透過型液晶表示装置では、バックライト（発光源）として有機ＥＬ素子を採用する提案がなされており、このバックライトの改良技術も提案されている（例えば、非特許文献１参照。）。
【０００３】
【特許文献１】
特開平１０−７８５８２号公報（第４−７頁、図１）
【非特許文献１】
Ｊｉｒｏ　Ｙａｍａｄａ，　Ｔａｋａｓｈｉ　Ｈｉｒａｎｏ，　Ｙｕｉｃｈｉ　Ｉｗａｓｅ，　ａｎｄ　Ｔａｔｓｕｙａ　Ｓａｓａｏｋａ、“Ｍｉｃｒｏ　Ｃａｖｉｔｙ　Ｓｔｒｕｃｔｕｒｅｓ　ｆｏｒ　Ｆｕｌｌ　Ｃｏｌｏｒ　ＡＭ−ＯＬＥＤ　Ｄｉｓｐｌａｙｓ　”、Ｔｈｅ　Ｎｉｎｔｈ　Ｉｎｔｅｒｎａｔｉｏｎａｌ　Ｗｏｒｋｓｈｏｐ　ｏｎ　Ａｃｔｉｖｅ−Ｍａｔｒｉｘ　Ｌｉｑｕｉｄ−Ｃｒｙｓｔａｌ　Ｄｉｓｐｌａｙｓ　−ＴＦＴ　Ｔｅｃｈｎｏｌｏｇｉｅｓ　ａｎｄ　Ｒｅｌａｔｅｄ　Ｍａｔｅｒｉａｌｓ−　（ＡＭ−ＬＣＤ　’０２）　Ｄｉｇｅｓｔ　ｏｆ　Ｔｅｃｈｎｉｃａｌ　Ｐａｐｅｒｓ、応用物理学会主催、２００２年７月１０日、ｐ．７７−８０
【０００４】
【発明が解決しようとする課題】
本発明は、光源体から発光される光から複数種類の所定の色の光を、光の共振により増幅させて取り出すことができる発光装置、表示装置及び照明装置を提供することを目的とする。
【０００５】
【課題を解決するための手段】
上記の目的を達成するために、請求項１に記載の発明では、光源体と、所定の波長の光を共振する共振層とを有する。この発明では、例えば光源体に共振層を複数配置したり、光源体に共振層を配置するとともに光源体自体を発光層とすることにより、共振層を複数備えることができる。従って、光源体から発光される光のうち、複数種類の色の光を各共振層で共振して、増幅して出射させることができる。
【０００６】
請求項２に記載の発明では、請求項１に記載の発明において、光源体は白色光を発する。従って、この発明では、光源体から発光される光が白色光であることにより、共振層で増幅させる光の種類を任意に選択できるため、例えば色変換層などを設けなくてよい。
【０００７】
請求項３に記載の発明では、請求項１又は請求項２に記載の発明において、光源体が有機ＥＬ素子である。従って、この発明では、例えば光源体が無機ＥＬである場合に比べて、使用電圧を低くできる。
【０００８】
請求項４に記載の発明では、請求項３に記載の発明において、有機ＥＬ素子の有機ＥＬ層が、少なくとも一つの共振層を兼ねている。この発明では、有機ＥＬ層と共振層とを重なる方向に別々に形成する場合に比べて、発光装置全体の厚みを減らすことができる。
【０００９】
請求項５に記載の発明では、請求項１〜請求項４のいずれか一項に記載の発明において、共振層を複数有し、各共振層は、共振させる波長が、少なくとも他の一の共振層とは異なる。この発明では、複数種類の所定の波長の光を共振により強めて取り出すことができる。
【００１０】
請求項６に記載の発明では、請求項４又は請求項５に記載の発明において、複数の共振層が、重なる方向において互いに隣接されて形成されている。互いに異なる波長の光を共振させる複数の共振層は、それぞれ異なる厚みに形成する必要があるが、本発明ではそれぞれ所定の厚みにした共振層を積層するだけで形成できる。
【００１１】
請求項７に記載の発明では、請求項４又は請求項５に記載の発明において、複数の共振層が、重なる方向において互いに離間した位置に形成されている。この発明では、離間した共振層それぞれの厚みを決めたうえで、共振層間の距離を調整して別の共振層を構成できるため、例えば隣接させた共振層によって別の共振層を構成する場合に比べて、設計の際の自由度を向上できる。
【００１２】
請求項８に記載の発明では、請求項１〜請求項７のいずれか一項に記載の発明において、光取り出し側に設けられた一部光透過性の反射体の反射面と、前記側とは反対側に設けられた一部光透過性の反射体の反射面とが相対向され、所定の波長の光を共振する共振層を有する。この発明では、共振層は、２つの反射体の相対向する反射面間の間隔を、共振させる光の半波長の自然数倍に形成することにより、簡単な構造によって形成できる。ここで、一部光透過性の反射体とは、所謂ハーフミラーのことであり、反射率・透過率は適宜選択される。
【００１３】
請求項９に記載の発明では、請求項１〜請求項７のいずれか一項に記載の発明において、光取り出し側に設けられた一部光透過性の反射体の反射面と、前記側とは反対側に設けられた全反射ミラーの反射面とが相対向され、所定の波長の光を共振する共振層を有する。この発明でも、請求項８に記載の発明と同様に、共振層を簡単な構造によって形成できる。
【００１４】
請求項１０に記載の発明では、請求項８又は請求項９に記載の発明において、前記反射体のうち少なくとも一つは、複数の共振層の反射体として用いられている。この発明では、他の共振層の反射体を兼用する反射体があるため、各共振層を独立して設けた場合と比べて、反射体の数を少なくでき、また、光共振器の厚さを薄くできる。なお、必ずしもすべての反射体が複数の共振層の反射体として用いられるとは限らない。
【００１５】
請求項１１に記載の発明では、請求項８〜請求項１０のいずれか一項に記載の発明において、光源体は電極を備え、一又は複数の反射体は、光源体の電極を兼ねている。この発明では、反射体と電極とを別々に形成する場合に比べて、反射体の数の増加を抑えることができる。
【００１６】
請求項１２に記載の発明では、光源体を有するとともに、光の取り出し側から順に第１の反射体、第２の反射体、第３の反射体を備え、各反射体は一部光透過性で、第２の反射体は両面が反射面で、第１、第３の反射体の反射面と相対向し、第１の反射体と第２の反射体との相対向する反射面間の距離ｔ１、第２の反射体と第３の反射体との相対向する反射面間の距離ｔ２、共振させる第１の光の波長λ１、第２の光の波長λ２、第３の光の波長λ３が以下の関係
ｔ１＝（ｎ１×λ１）／２
ｔ２＝（ｎ２×λ２）／２
ｔ１＋ｔ２＝（ｎ３×λ３）／２
ただし、ｎ１、ｎ２、ｎ３は自然数
を有している。この発明では、関係式が成り立つように各波長λ１、λ２、λ３及び自然数ｎ１、ｎ２、ｎ３を設定することにより、３つの反射体だけで３種類の光を増幅できる。
【００１７】
請求項１３に記載の発明では、光源体を有するとともに、光の取り出し側から順に第１の反射体、第２の反射体、第３の反射体を備え、第１及び第２の反射体は一部光透過性で、第３の反射体は全反射ミラーで、第２の反射体は両面が反射面で、第１、第３の反射体の反射面と相対向し、第１の反射体と第２の反射体との相対向する反射面間の距離ｔ１、第２の反射体と第３の反射体との相対向する反射面間の距離ｔ２、共振させる第１の光の波長λ１、第２の光の波長λ２、第３の光の波長λ３が以下の関係
ｔ１＝（ｎ１×λ１）／２
ｔ２＝（ｎ２×λ２）／２
ｔ１＋ｔ２＝（ｎ３×λ３）／２
ただし、ｎ１、ｎ２、ｎ３は自然数
を有している。この発明の発光装置でも、請求項１２に記載の発明と同様に、３つの反射体だけで３種類の光を増幅できる。
【００１８】
請求項１４に記載の発明では、光源体を有するとともに、複数の一部光透過性の反射体を重なる方向に有し、波長λ１の光、波長λ２の光、波長λ３の光を共振し、λ１の光を共振する反射体間の距離をｔ１、λ２の光を共振する反射体間の距離をｔ２、λ３の光を共振する反射体間の距離をｔ３とするとき、以下の関係式
ｔ１＝（ｍ１×λ１）／２
ｔ２＝（ｍ２×λ２）／２
ｔ３＝（ｍ３×λ３）／２
ただし、ｍ１、ｍ２、ｍ３は自然数
が成立している。この発明では、関係式が成り立つように各反射体を設けることにより、３種類の光を増幅できる。
【００１９】
請求項１５に記載の発明では、光源体を有するとともに、複数の反射体を重なる方向に有し、反射体のうち光の取り出し側と反対側の反射体を全反射ミラー、他の反射体を一部光透過性とし、波長λ１の光、波長λ２の光、波長λ３の光を共振し、λ１の光を共振する反射体間の距離をｔ１、λ２の光を共振する反射体間の距離をｔ２、λ３の光を共振する反射体間の距離をｔ３とするとき、以下の関係式
ｔ１＝（ｍ１×λ１）／２
ｔ２＝（ｍ２×λ２）／２
ｔ３＝（ｍ３×λ３）／２
ただし、ｍ１、ｍ２、ｍ３は自然数
が成立している。この発明の発光装置でも、請求項１４に記載の発明と同様に、３種類の光を増幅できる。
【００２０】
請求項１６に記載の発明では、請求項１４又は請求項１５に記載の発明において、前記反射体のうち少なくとも一つは、複数の波長の光を共振する反射体として用いられている。この発明では、反射体の数の増加を抑えることができ、また、光共振器の厚さを薄くできる。なお、必ずしもすべての反射体が複数の波長の光を共振するとは限らない。
【００２１】
請求項１７に記載の発明では、請求項１２〜請求項１６のいずれか一項に記載の発明において、共振させる波長λ１，λ２，λ３の光は、赤色光、青色光及び緑色光である。この発明では、白色光から光の３原色を共振により強めて取り出すことができる。
【００２２】
請求項１８に記載の発明では、液晶表示部の背後に、バックライトとして請求項１〜請求項１７のいずれか一項に記載の発光装置を備えている。この発明では、バックライトから、所定の色の光を共振により増幅させて取り出すことができ、共振層なしの表示装置に比べて輝度を高くできる。
【００２３】
共振層を、すべての反射体を一部光透過性の反射体にし、バックライトにおける発光部よりも液晶表示部側に設ければ、表示装置外部から入射された光を用いても表示することもでき、また、バックライトからの光を用いても表示することができる。これらの光の輝度を高くすることも可能となる。
【００２４】
また、全反射ミラーを備えた共振層を、バックライトの発光部に対して、光の取り出し側とは反対側に設ければ、バックライトの発光部から発せられた光のうち、光の取り出し側とは反対側に発せられた光を光の取り出し方向へ反射させて取り出すことができる。
【００２５】
請求項１９に記載の発明では、液晶表示部の背後に、バックライトとして請求項８、請求項１２及び請求項１４のいずれか一項に記載の発光装置を備えた表示装置であって、光の取り出し側とは反対側に全反射ミラーを備えている。この発明では、バックライトから、所定の色の光を共振により増幅させて明るいディスプレイが得られるとともに、共振された光のうち、光の取り出し側と反対側に出射される光を全反射ミラーで反射させて、光の取り出し側へ向けることで再利用できる。
【００２６】
請求項２０に記載の発明では、請求項１８又は請求項１９に記載の発明において、液晶表示部はカラーフィルタを有し、光源体から発光される光は複数の色の光が混合されており、カラーフィルタは、発光装置で共振された光の少なくとも一つが透過される。この発明では、光源体から発光される光のうち、カラーフィルタと同色の光が共振され、カラーフィルタと異なる色の光は減衰された状態でカラーフィルタへ達する。従って、例えば白色光をカラーフィルタに直接通す場合に比べて、カラーフィルタを薄くできたり、カラーフィルタでの透過減衰をより低減できたりする。また、カラーフィルタを通過した光の色純度が高くなる。
【００２７】
請求項２１に記載の発明では、請求項２０に記載の発明において、カラーフィルタの色はＲ、Ｇ、Ｂである。この発明では、白色光から共振により増幅させた光の３原色をカラーフィルタに透過させて、輝度及び色純度を向上できる。
【００２８】
請求項２２に記載の発明では、請求項１〜請求項１７のいずれか一項に記載の発光装置を光源として備えている。この発明では、従来の発光装置を光源とする照明装置に比べて、光の色を鮮やかにできる。
【００２９】
【発明の実施の形態】
以下、本発明をパッシブ・マトリックス方式の液晶表示装置に具体化した一実施の形態を図１〜図３に従って説明する。図１は液晶表示装置の模式断面図であり、図２はバックライトの部分模式断面図である。図１及び図２において下側に表示部が設けられている。図１、図２ではわかりやすいように図示するため各部材の厚さの比は正確ではない。
【００３０】
図１に示すように、表示装置としての液晶表示装置１１は、パッシブ・マトリックス方式の透過型の液晶表示部としての液晶パネル１２と、バックライト１３とを備えている。
【００３１】
液晶パネル１２は、一対の透明な基板１４，１５を備え、両基板１４，１５は所定の間隔を保った状態で、シール材１５ａにより貼り合わされて、その間に液晶１６が配置される。基板１４，１５は例えばガラス製である。バックライト１３側に配置された一方の基板１４には、液晶１６と対応する面に透明な電極１７が、複数、平行なストライプ状に形成されている。液晶１６と反対側の面に偏光板１８が形成されている。
【００３２】
他方の基板１５には液晶１６と対応する面にカラーフィルタ１９と、カラーフィルタ１９による凹凸を平坦化するための平坦化膜１９ａとが形成され、平坦化膜１９ａ上には透明な電極２０が電極１７と直交する状態に形成されている。基板１５の電極２０が形成された面と反対側の面には偏光板２１が形成されている。電極１７及び電極２０はＩＴＯ（インジウム錫酸化物）で形成されている。電極１７及び電極２０の各交差部が液晶パネル１２の各サブピクセルとなり、サブピクセルはマトリックス状に配置されている。そして、Ｒ（赤）、Ｇ（緑）、Ｂ（青）に対応するサブピクセル各１つ計３つのサブピクセルによってピクセル（画素）が構成されている。電極１７の走査により、サブピクセルが１列ずつ表示駆動可能となる。
【００３３】
図１及び図２に示すように、バックライト１３は、基板２２上に有機ＥＬ材料を含む有機ＥＬ層を有する有機ＥＬ素子２３を備えた発光装置である。バックライト１３は、基板２２が有機ＥＬ素子２３に対して液晶パネル１２側に位置するように配置されている。バックライト１３は、基板２２側から光を取り出すボトムエミッション型である。基板２２はガラス製である。
【００３４】
基板２２上には、第１電極２４と、有機ＥＬ材料を含む有機ＥＬ層２５と、第２電極２６とが、基板２２側から順に積層形成されて有機ＥＬ素子２３が構成されている。バックライト１３が全面発光するように、第１電極２４、有機ＥＬ層２５、第２電極２６は平面状で、それぞれの面積が液晶パネル１２とほぼ同じに形成されている。
【００３５】
第２電極２６上には、バッファー層２７が形成され、バッファー層２７上には反射体としての反射ミラー２８が形成されている。バッファー層２７、反射ミラー２８も平面状で、それぞれの面積が液晶パネル１２とほぼ同じに形成されている。
【００３６】
有機ＥＬ素子２３は、有機ＥＬ層２５が外気と接しないように、パッシベーション膜２９で被覆されている。この実施の形態では、パッシベーション膜２９は、第１電極２４、有機ＥＬ層２５、第２電極２６及びバッファー層２７の各端面と、反射ミラー２８の液晶パネル１２と反対側の面とを覆うように形成されている。パッシベーション膜２９は水分の透過を防止する材質、例えば窒化ケイ素ＳｉＮｘや酸化ケイ素ＳｉＯｘで形成されている。
【００３７】
有機ＥＬ層２５には例えば公知の構成のものが使用され、第１電極２４側から順に、正孔注入層、発光層及び電子注入層を含む少なくとも３層で構成されている。有機ＥＬ層２５は白色発光層で構成されている。
【００３８】
第１電極２４及び第２電極２６はハーフミラー状に形成され、一部光透過性の反射体となっている。第１及び第２電極２４，２６の厚みは、光透過性を出すようにそれぞれ３０ｎｍ以下に形成されている。この実施の形態では第１電極２４が陽極を、第２電極２６が陰極を構成している。第１電極２４及び第２電極２６は金属で形成されている。第１電極２４は、この実施の形態ではクロムで形成されている。また、第２電極２６はアルミニウムで形成されている。バッファー層２７は透明な材料によって形成されている。バッファー層２７は、この実施の形態では酸化膜、ここでは酸化ケイ素によって形成されている。反射ミラー２８は透過性を備えず、金属で形成され、この実施の形態ではアルミニウムで形成されている。
【００３９】
バックライト１３では、有機ＥＬ層２５を挟む第１電極２４と第２電極２６との相対向する面２４ａ，２６ａを反射面として第１の共振層３１が構成されている。また、バッファー層２７を挟む第２電極２６と反射ミラー２８との相対向する面２６ｂ，２８ａを反射面として第２の共振層３２が構成されている。また、相対向する面２４ａ，２８ａを反射面として第３の共振層３３が構成されている。第３の共振層３３は、面２４ａ，２８ａにより有機ＥＬ層２５、第２電極２６、バッファー層２７を挟んでいる。このように、各共振層３１，３２，３３は、互いに離間した２つの反射体の反射面を対向させている。また、第１電極２４及び第２電極２６が一部光透過性の反射体であるため、各共振層３１，３２，３３は、少なくとも一方の反射体が一部光透過性の反射体となっている。
【００４０】
このように、バックライト１３は、光の取り出し側から順に第１の反射体としての第１電極２４、第２の反射体としての第２電極２６、第３の反射体としての反射ミラー２８を備えていることに相当する。第２電極２６は両面２６ａ，２６ｂが反射面で、面２６ａは第１電極２４の反射面である面２４ａと相対向し、面２６ｂは反射ミラー２８の反射面である面２８ａと相対向している。
【００４１】
この実施の形態では、λ１を第１の共振層３１が共振させる光の波長、λ２を第２の共振層３２が共振させる光の波長、λ３を第３の共振層３３が共振させる光の波長としている。また、第１の共振層３１の膜厚をｔ１、第２の共振層３２の膜厚をｔ２、第３の共振層３３の膜厚をｔ３としている。膜厚ｔ１は、第１電極２４と第２電極２６との相対向する反射面である面２４ａ，２６ａ間の距離に相当する。また、膜厚ｔ２は、第２電極２６と反射ミラー２８との相対向する反射面である面２６ｂ，２８ａ間の距離に相当し、膜厚ｔ３は、第１電極２４と反射ミラー２８との相対向する反射面である面２４ａ，２８ａ間の距離に相当する。また、膜厚ｔ１は、波長λ１の光を共振する第１及び第２電極２４，２６間の距離に相当し、膜厚ｔ２は波長λ２の光を共振する第２電極２６及び反射ミラー２８間の距離、膜厚ｔ３は波長λ３の光を共振する第１電極２４及び反射ミラー２８間の距離に相当している。
【００４２】
各膜厚ｔ１，ｔ２，ｔ３は、それぞれ共振させる光の半波長の自然数倍に形成されている。すなわち、以下の関係式
ｔ１＝（ｍ１×λ１）／２
ｔ２＝（ｍ２×λ２）／２　　　　　　　　　　　…式（１）
ｔ３＝（ｍ３×λ３）／２
ただし、ｍ１、ｍ２、ｍ３は自然数
が成立している。
【００４３】
また、この実施の形態では、波長λ３が以下の関係式
ｔ１＝（ｎ１×λ１）／２
ｔ２＝（ｎ２×λ２）／２　　　　　　　　　　　…式（２）
ｔ１＋ｔ２＝（ｎ３×λ３）／２
ただし、ｎ１、ｎ２、ｎ３は自然数
を有するように各共振層３１〜３３は形成されている。すなわち、第１の共振層３１の膜厚ｔ１と第２の共振層３２の膜厚ｔ２との和が、第３の共振層３３の膜厚ｔ３とほぼ等しくされている。
【００４４】
この実施の形態では、第１の共振層３１は青色光を共振させる共振層、第２の共振層３２は緑色光を共振させる共振層、第３の共振層３３は赤色光を共振させる共振層となっており、波長λ１は青色光の波長、波長λ２は緑色光の波長、波長λ３は赤色光の波長となっている。この実施の形態では、ｎ１＝３、ｎ２＝１、ｎ３＝３とされている。
【００４５】
このように、共振によって増幅させたい光の波長をλ１，λ２，λ３とし、各波長λ１，λ２，λ３は、それぞれ増幅ターゲットのＢ，Ｇ，Ｒの波長とされている。
【００４６】
また、増幅させるＢの波長域、増幅させるＧの波長域、増幅させるＲの波長域は、それぞれ下記の範囲の中から所望の波長域が選択されている。
λ１（Ｂ）＝４３０ｎｍ〜５００ｎｍ、λ２（Ｇ）＝５２０〜５６０ｎｍ、λ３（Ｒ）＝５７０〜６５０ｎｍ…式（３）
なお、Ｇの波長域に対してＲやＢの波長域を広くしているのは、可視光領域でＲとＢが両端に位置するために他の色に比べて波長域がもともと広いためであり、Ｇの波長域が４０ｎｍと狭いのは、Ｇが可視光領域の中央に位置するため、波長が少し変わると黄色や水色に変わるためである。また、Ｒの波長域は、自然光のＲと比べると小さな波長を含むように設定しているが、これは、色と波長との関係が、自然光の場合と、液晶表示装置やテレビ等との場合とで若干ずれるためである。
【００４７】
上記構成のバックライト１３の製造は、基板２２上に順に第１電極２４、有機ＥＬ層２５、第２電極２６、バッファー層２７、反射ミラー２８、パッシベーション膜２９を蒸着することにより行なわれる。
【００４８】
次に上記のように構成された液晶表示装置１１の作用について説明する。
液晶パネル１２は図示しない駆動制御装置により電極１７と電極２０との間に電圧が印加され、所望のサブピクセルが透過可能となる。
【００４９】
一方、バックライト１３は電源投入されると、第１電極２４と第２電極２６との間に電圧が印加され、有機ＥＬ素子２３が白色に発光する。図３には、有機ＥＬ層２５から発光される白色発光のスペクトルを示すスペクトル線３７を２点鎖線で示している。
【００５０】
有機ＥＬ層２５で発光した光のうち、面２４ａと面２６ａとで反射される光は、第１の共振層３１において膜厚ｔ１が半波長の自然数倍になる光、ここでは青色光が共振されて増幅される。共振により青色光は、白色発光における青色より増幅される。増幅された青色光は、ハーフミラー状の第１電極２４を通過して基板２２から出射され、液晶パネル１２へ達する。
【００５１】
また、有機ＥＬ層２５で発光し、ハーフミラー状の第２電極２６を通過して面２８ａで反射されて面２６ｂで反射される光は、膜厚ｔ２が半波長の自然数倍になる光、ここでは緑色光が第２の共振層３２において共振され、増幅される。そして、第２の共振層３２で増幅された緑色光は、第２電極２６、有機ＥＬ層２５、第１電極２４を通過して基板２２から出射され、液晶パネル１２へ達する。
【００５２】
また、有機ＥＬ層２５で発光し、第３の共振層３３において面２４ａと面２８ａとで反射される光は、膜厚ｔ３が半波長の自然数倍になる光、ここでは赤色光が共振されて増幅され、基板２２から出射されて液晶パネル１２へ達する。図３には、基板２２から出射される光のスペクトルを示すスペクトル線３８を実線で示す。図３に示すように、ＲＧＢはシャープに分離され、スペクトル線３８のＲＧＢの各ピークが白色発光のスペクトル線３７より高くなっていることから分かるように、共振されたＲＧＢは、白色発光のＲＧＢより増幅されている。
【００５３】
スペクトル線３８に示すスペクトルを備えて液晶パネル１２へ達した光のうち、透過可能になったサブピクセル部分への光のみが、液晶パネル１２の表側に出てくる。このときカラーフィルタ１９の図示しないＲ（赤）、Ｇ（緑）、Ｂ（青）のサブピクセルを通過し、その組み合わせにより所望の色が再現される。このようにして透過モードでの画面表示が行われる。
【００５４】
また、反射モードでは、バックライト１３の電源がオフに切り換えられ、第１電極２４と第２電極２６との間への電圧印加が停止されて有機ＥＬ素子２３が非発光状態になる。この状態では、外光が液晶パネル１２を通りバックライト１３へ入射される。外光は、第１及び第２電極２４，２６、反射ミラー２８で反射されて液晶パネル１２へ達するが、第１電極２４を通過して有機ＥＬ層２５側へ達した外光のうち、青、緑、赤の各光は、各共振層３１，３２，３３で共振されて液晶パネル１２へ達する。
【００５５】
このように、液晶表示装置１１は、ＲＧＢそれぞれの波長の光を増幅させる光共振ミラー構造を有機ＥＬバックライトに組み込み、ＲＧＢがシャープに分離した発光パターンにして、図３にスペクトル線３８で示すスペクトルを得ている。これにより、液晶パネル１２のカラーフィルタ１９での透過減衰が低減し、明るいディスプレイが得られるとともに、色度が向上する。
【００５６】
この実施の形態によれば、以下のような効果を有する。
（１）　光源体（有機ＥＬ素子２３）と第２の共振層３２とを有している。また、有機ＥＬ素子２３自体を第１の共振層３１として形成し、共振層を複数備えている。従って、複数種類の色の光を各共振層で共振して、増幅して出射させることができ、輝度を向上できる。
【００５７】
（２）　光源体（有機ＥＬ素子２３）は白色光を発する。従って、共振層で増幅させる光の種類を任意に選択できるため、例えば色変換層などを設けなくてよい。
【００５８】
（３）　光源体が有機ＥＬ素子２３である。従って、例えば光源体が無機ＥＬである場合に比べて、使用電圧を低くできる。
（４）　有機ＥＬ層２５が第１の共振層３１を兼ねるとともに、第３の共振層３３の一部を兼ねている。従って、有機ＥＬ層２５と共振層とを別々に形成する場合に比べて、発光装置全体の厚みを減らすことができる。
【００５９】
（５）　共振層は複数の共振層３１，３２，３３からなり、前記各共振層３１，３２，３３はそれぞれ互いに異なる波長の光を共振させるように形成されている。従って、白色光から複数種類の所定の色の光を、共振により強めて取り出すことができる。
【００６０】
（６）　第１の共振層３１と第２の共振層３２とが重なる方向において互いに隣接されて形成されている。第１の共振層と第２の共振層とは異なる波長の光を共振させるため、それぞれ異なる厚みに形成する必要があるが、例えば、第１及び第２の共振層を重ねずに横に、すなわち光の出射方向とは垂直の方向に並べて形成する場合、異なる厚みに作ることが難しい。しかし、両共振層が重なるように形成することにより、簡単に作ることができる。また、共振層を重ねずに横に並べた場合、光の出射方向から眺めた場合の各領域で、それぞれ一種類の光しか増幅されない。例えば、第１及び第２の共振層を重ねずに横に並べて形成する場合、例えば青色光は、第１の共振層を形成した箇所で光源から発光される光から取り出されるのみで、第２の共振層を形成した箇所で光源から発光される光からは取り出されないため、有効に使用される光が限られる。緑色光についても同様に限られる。しかし、両共振層が重なるように形成した場合、光源の全面で発光する光から青色光や緑色光を取り出せるため、光源から発光する光を有効に使用できる。
【００６１】
（７）　各共振層３１，３２，３３は、重なる方向において互いに離間した２つの反射体の反射面が相対向されて構成されている。従って、各共振層３１，３２，３３は、２つの反射体の反射面間の間隔を、共振させる光の半波長の自然数倍に形成することにより、簡単な構造によって形成できる。
【００６２】
（８）　第１の共振層３１の反射体である第１電極２４は第３の共振層３３の反射体を兼用している。言い換えれば、第１電極２４は、波長λ１の光と、波長λ３の光とを共振する反射体として用いられている。また、第２の共振層３２の反射体である反射ミラー２８は第３の共振層３３のもう一方の反射体を兼用しており、反射ミラー２８は、波長λ２の光と、波長λ３の光とを共振する反射体として用いられている。また、第２電極２６は、第１の共振層３１の反射体と、第２の共振層３２の反射体とを兼用している。従って、例えば反射体を兼用せずに各共振層毎に別々に形成する場合に比べて、反射体の数の増加を抑えることができる。また、発光装置の厚みを薄くしたり、ハーフミラーを通過する際に生じる光の透過減衰を少なくしたりできる。
【００６３】
（９）　有機ＥＬ素子２３の第１及び第２電極２４，２６がともにハーフミラー状に形成され、第１の共振層３１の反射体を兼用している。従って、反射体と第１，第２電極２４，２６とを別々に形成する場合に比べて、バックライト１３全体の厚みを減らすことができる。
【００６４】
（１０）　前記関係式（１）が成立している。従って、前記関係式（１）が成り立つように各反射体を設けることにより、３つの共振層を形成して３種類の光を増幅できる。
【００６５】
（１１）　前記関係式（２）が成立している。従って、前記関係式（２）が成り立つように各波長λ１、λ２、λ３及び自然数ｎ１、ｎ２、ｎ３を設定することにより、３つの反射体だけで３種類の光を増幅できる。従って、発光装置の厚みを薄くしたり、光の透過減衰を少なくしたりできる。また、重なる方向に隣接された第１及び第２の共振層３１，３２によって第３の共振層３３を簡単に構成できる。
【００６６】
（１２）　各共振層３１〜３３により共振させる第１，第２，第３の光は、赤色光、青色光及び緑色光である。従って、白色光から光の３原色を共振により強めて取り出すことができる。ＲＧＢカラー液晶表示装置において、例えばＲのカラーフィルタが、共振層で共振された赤の光を通過するものである場合、共振層を、カラーフィルタ１９より光取り出し側と反対側に設ける。これにより、輝度向上できるとともに、色純度をアップできる。
【００６７】
（１３）　共振層３１〜３３を備えた有機ＥＬ素子２３がバックライト１３として、透過型の液晶パネル１２と組み付けられている。従って、バックライトから、所定の色の光を共振により増幅させて取り出すことができ、共振層なしの表示装置に比べて輝度を高くできる。
【００６８】
（１４）　有機ＥＬ層２５に対し、光の取り出し側と反対側に全反射ミラー（反射ミラー２８）が設けられている。このため、バックライトから、所定の色の光を共振層３１〜３３での共振により増幅させて明るいディスプレイが得られるとともに、共振層３１〜３３で共振された光のうち、光の取り出し側と反対側に出射される光が反射ミラー２８で反射されて光の取り出し側へ出射される。従って、共振後に光の取り出し側と反対側に出射される光を再利用して、取り出せる光の量をより効果的に増加できる。
【００６９】
（１５）　各共振層３１〜３３が、液晶パネル１２のカラーフィルタ１９に対して、バックライト側に配置されている。従って、バックライトから、ＲＧＢの光を共振層３１〜３３における共振により増幅させて取り出すことにより、カラーフィルタ１９での透過減衰が低減し、明るいディスプレイが得られるとともに、色度を向上できる。
【００７０】
（１６）　カラーフィルタ１９は、共振層３１〜３３で共振された赤、緑、青の光が透過されるようになっており、例えば、Ｒのフィルタは、共振層で共振された赤の光を通過するようになっている。Ｇ，Ｂのフィルタも同様である。従って、バックライトから発光される光のうち、カラーフィルタと同色の光が共振層において共振され、カラーフィルタと異なる色の光は減衰された状態でカラーフィルタへ達する。従って、例えば白色光をカラーフィルタに直接通す場合に比べて、カラーフィルタを薄くできたり、カラーフィルタでの透過減衰をより低減できたりする。また、カラーフィルタを通過した光の色純度が高くなる。
【００７１】
（１７）　カラーフィルタ１９の色はＲ、Ｇ、Ｂである。従って、白色光から共振により増幅させた光の３原色をカラーフィルタに透過させて、輝度及び色純度を向上できる。
【００７２】
（１８）　バックライト１３は全面発光するように形成されている。従って、有機ＥＬ層２５を挟む第１電極２４及び第２電極２６を面状に形成すればよいため、電極を分割形成するような場合に比べて有機ＥＬ素子２３を簡単に形成できる。
【００７３】
なお、実施の形態は上記実施の形態に限定されるものではなく、例えば以下のように変更してもよい。
○　基板２２に有機ＥＬ素子２３を形成してその上にバッファー層２７を形成することに限らず、例えば、基板２２上にバッファー層２７を形成してその上に有機ＥＬ素子２３を形成してもよい。例えば図４に示すように、まず、基板２２上にハーフミラー５１を金属で形成し、ハーフミラー５１の上にバッファー層２７を形成し、バッファー層２７の上に第１電極２４、有機ＥＬ層２５、第２電極２６を順に形成する。第１電極２４はハーフミラー状に形成し、第２電極２６はミラー状に形成する。そして、全体を覆うようにパッシベーション膜２９を形成する。
【００７４】
この場合、第２の共振層５２は、ハーフミラー５１のバッファー層２７側の面５１ａと、第１電極２４の有機ＥＬ層２５と反対側の面２４ｂとを反射面としている。第３の共振層５３は、面５１ａと、第２電極２６の有機ＥＬ層２５側の面２６ａとを反射面としている。面２６ａ，５１ａ間には、バッファー層２７、第１電極２４、有機ＥＬ層２５がある。この構成では、ハーフミラー５１やバッファー層２７を有機ＥＬ素子２３より先に形成するため、例えば有機ＥＬ層２５に温度などの影響を与えないように注意することなくハーフミラー５１やバッファー層２７を形成でき、上記実施の形態のバックライトに比べて形成しやすい。
【００７５】
○　前記関係式（２）の自然数ｎ１、ｎ２、ｎ３は、ｎ１＝３、ｎ２＝１、ｎ３＝３であることに限らない。ただし、バックライト１３全体の膜厚が薄い方が光の透過減衰が抑えられるため、自然数ｎ１、ｎ２、ｎ３は小さい方が好ましい。
【００７６】
○　前記関係式（２）は成立させなくてもよい。第１の共振層３１と第２の共振層３２とが重なる方向に隣接する構成に限らず、例えば、第１及び第２の共振層間に別の層を挟んで互いに離間した位置に形成してもよい。例えば図５に示すように、基板２２上にハーフミラー５１、バッファー層２７を設けた状態で、バッファー層２７の上にハーフミラー５５を形成し、ハーフミラー５５の上に透明なバッファー層５６を形成し、バッファー層５６の上に有機ＥＬ素子２３を形成する。そして、例えば第２の共振層５８の対向する反射面を、ハーフミラー５１とハーフミラー５５とのバッファー層２７側の面５１ａ，５５ａとする。また、第３の共振層５９の反射面を、面５１ａと、第２電極２６の有機ＥＬ層２５側の面２６ａとする。面２６ａ，５１ａ間には、バッファー層２７、ハーフミラー５５、バッファー層５６、第１電極２４、有機ＥＬ層２５がある。バッファー層５６の厚みは、面２６ａ，５１ａ間の間隔がλ３の半分の自然数倍となるように形成する。この場合、膜厚ｔ１と膜厚ｔ２とを決めたうえで、バッファー層５６の厚みを調整して膜厚ｔ３を決めることができるため、膜厚ｔ１及び膜厚ｔ２だけで膜厚ｔ３を決める場合に比べて、設計の際の自由度を向上できる。
【００７７】
○　第３の共振層の一対の反射面の両方が、第１の共振層の一方の反射面と、第２の共振層の一方の反射面とで構成されることに限らず、例えば第３の共振層の反射面の片方だけに、第１の共振層や第２の共振層の反射面を利用するようにしてもよい。例えば図６に示すように、基板２２上に、バッファー層２７を挟む第２の共振層５２、有機ＥＬ層２５を挟む第１の共振層３１を順に設けた状態で、第２電極２６の上に、透明なバッファー層６０、反射ミラー６１を順に形成し、最後にパッシベーション膜２９を形成する。第３の共振層６２の反射面を、ハーフミラー５１の基板２２と反対側の面５１ａと、反射ミラー６１の有機ＥＬ層２５側の面６１ａとしている。面５１ａ，６１ａ間には、バッファー層２７、第１電極２４、有機ＥＬ層２５、第２電極２６、バッファー層６０がある。バッファー層６０の厚みは、面５１ａ，６１ａ間の間隔が波長λ３の半分の自然数倍となるように形成する。この場合も、膜厚ｔ１と膜厚ｔ２とを決めたうえで、バッファー層６０の厚みを調整して膜厚ｔ３を決めることができるため、膜厚ｔ１及び膜厚ｔ２だけで膜厚ｔ３を決める場合に比べて、設計の際の自由度を向上できる。
【００７８】
○　複数の反射体のうち一つだけを、複数の共振層の反射体として用いるのであってもよい。この場合でも、反射体の数の増加を抑えることができる。
○　各共振層は、他の共振層の反射面を共有しないように形成してもよい。例えば図７に示すように、基板２２上に有機ＥＬ素子２３、バッファー層２７を順に形成した状態で、バッファー層２７の上にハーフミラー６５を形成し、ハーフミラー６５の上に透明なバッファー層６６を形成し、バッファー層６６の上に反射ミラー６７を形成し、パッシベーション膜２９を形成する。第２の共振層６８の対向面を、第２電極２６及びハーフミラー６５のバッファー層２７側の面２６ｂ及び面６５ａとし、第３の共振層６９の対向面を、ハーフミラー６５及び反射ミラー６７のバッファー層６６側の面６５ｂ及び面６７ａとする。この場合、いずれかの共振層の厚みの精度がずれても、他の共振層の厚みには関係しないため、他の共振層での共振に影響を及ぼしにくくすることができる。
【００７９】
○　第１電極２４と第２電極２６との相対向する面２４ａ，２６ａ間の距離は、共振させる光の半波長より短くしてもよい。例えば図７に示す場合に、第１の共振層の対向面を、面２４ａと、ハーフミラー６５の有機ＥＬ層２５側の面６５ａとする。この場合、第１の共振層が共振させる光の半波長の自然数倍になるために必要な厚みを、バッファー層の厚みにより確保できるため、有機ＥＬ層２５の厚みを、第１の共振層で共振させる光の半波長より薄くできる。
【００８０】
○　有機ＥＬ層２５が共振層を兼ねなくてもよい。例えば図８に示すように、基板２２上に有機ＥＬ素子２３を形成してパッシベーション膜２９で覆ったバックライトと、液晶パネルとの間に、光共振器７０を配置する。ここで第１電極２４は透明電極になるよう例えばＩＴＯで形成し、第２電極２６は反射電極になるように例えばアルミニウムで形成する。光共振器７０は、ガラス製の基板７１上にハーフミラー７２、透明なバッファー層７３、ハーフミラー７４、透明なバッファー層７５、ハーフミラー７６を順に積層して形成する。第１の共振層７７の対向面を、ハーフミラー７２及びハーフミラー７４のバッファー層７３側の面７２ａ及び面７４ａとし、第２の共振層７８の対向面を、ハーフミラー７４及びハーフミラー７６のバッファー層７５側の面７４ｂ及び面７６ａとする。そして、第３の共振層７９の対向面を面７２ａ，７６ａとする。この場合、光共振器７０は、バックライトと別に形成されてバックライトに組付けられる。従って、既存のバックライトに共振層を後付けすることもできる。
【００８１】
○　上記のように共振層７７，７８，７９を形成する際、基板７１を備えずに、例えばバックライトの基板２２の有機ＥＬ素子２３と反対側の面に、ハーフミラー７６、バッファー層７５、…、ハーフミラー７２を順に積層して共振層７７，７８，７９を形成してもよい。
【００８２】
○　上記の光共振器７０は、カラーフィルタ１９と有機ＥＬ層２５との間に配置するのであれば任意の箇所に設けてもよい。例えば光共振器７０を液晶パネル１２の中に設けてもよい。
【００８３】
○　共振層を、すべての反射体を一部光透過性の反射体にし、バックライトにおける発光部よりも液晶表示部側に設けてもよい。この場合、表示装置外部から入射された光を用いても表示することもでき、また、バックライトからの光を用いても表示することができる。これらの光の輝度を高くすることも可能となる。
【００８４】
○　光共振器７０は、カラーフィルタ１９より光取り出し側に設けてもよい。この場合でも、輝度向上できる。しかし、光共振器７０をカラーフィルタ１９より有機ＥＬ層２５側に設けるのが望ましい。
【００８５】
○　一つの光共振器が共振層を３つ備える構成に限らない。例えば共振層を１個備える光共振器と、共振層を２個備える光共振器とを作製し、一方をバックライトに組付け、他方を液晶パネル１２の中に設けてもよい。また、両方の光共振器を重ねてバックライトに組付けてもよい。
【００８６】
○　一つの光共振器が一つの共振層を備える構成にしてもよい。例えばＲ用の光共振器、Ｇ用の光共振器、Ｂ用の光共振器を別々に作製し、ＲＧＢ３枚の光共振器を重ねてバックライトに組付けてもよい。
【００８７】
○　光共振器は、可撓性を有するように形成してもよく、例えばフィルム状に形成してもよい。この場合、光共振器の基板７１が可撓性を有するように、基板７１を例えば透明な樹脂で形成する。例えば光共振器が薄くて硬いと、取扱う際に割れる虞があるが、可撓性を有することにより割れにくくすることができる。また、例えば曲面状の光源体に貼り付けることができる。
【００８８】
○　上記のように光共振器が可撓性を有するように形成する場合、光共振器は所謂フィルムより厚く形成してもよく、例えばシート状に形成してもよい。
○　有機ＥＬ素子２３の第１及び第２電極２４，２６を透明電極に形成して、バックライトの光の取り出し側と反対側に光共振器７０を備えてもよい。そして、光共振器７０のバックライトと反対側の反射体を全反射ミラーに形成し、バックライト側の反射体をハーフミラーに形成する。この場合、光共振器は、所定の波長の光を増幅する反射板として機能する。従って、例えば従来の共振しない単なる反射板を配置する場合と比べて、所定の波長の光の量を増加できる。
【００８９】
○　バックライトは、基板２２と反対側から有機ＥＬ素子２３の発光を取り出すトップエミッション型であってもよい。
○　有機ＥＬ素子２３を封止するのはパッシベーション膜に限らない。例えばガラス製等の、水分や酸素の透過を遮断するとともに透明な材質よりなるカバーをパッシベーション膜に代えて配置し、このカバーと基板２２との間を図示しないシール材（例えば、エポキシ樹脂）で封止して有機ＥＬ層２５へ外部から水分や酸素が進入するのを防いでもよい。
【００９０】
○　ボトムエミッション構造では、パッシベーション膜に代えて金属製の封止缶（封止カバー）で有機ＥＬ素子２３を封止してもよい。
○　バッファー層は、透明性を備えた物質で形成すればよく、例えば窒化ケイ素で形成してもよい。また、例えばカラーフィルタのオーバーコート膜の材料のような透明な有機層や他の無機層でバッファー層を形成してもよい。
【００９１】
○　ハーフミラーはアルミニウム製に限らず、例えば銀で形成してもよい。また、ハーフミラーはマグネシウムと銀との合金で形成してもよい。
○　第１電極２４は、銀、クロム、モリブデン又はそれらの合金で形成してもよい。また、第１電極２４はアルミニウム−パラジウム−銅の合金等で形成してもよい。
【００９２】
○　同一の波長の光を増幅する共振層を複数重ねてもよい。この場合、その波長の光は、一つの共振層のみで増幅する場合と比べて、より増幅できる。
○　第１電極２４が陰極で、第２電極２６が陽極でもよい。
【００９３】
○　液晶パネルは透過型又は半透過型であればよく、パッシブ・マトリックス方式に限らず、例えばアクティブ・マトリックス方式であってもよい。
○　バックライト１３は全面発光する構成に限らず、例えばバックライトを複数の領域に分割して、各領域毎に点灯（発光）可能に構成し、液晶パネル１２の表示部のうちバックライトの点灯が必要な部分のみを選択して点灯させてもよい。この場合、バックライトを全面発光させる構成に比較して消費電力を低減できる。
【００９４】
○　発光装置は液晶表示装置のバックライトに限らず、例えば自動車のルームランプや、室内の壁掛け用等の照明装置として形成してもよい。この場合、従来の発光装置を光源とする照明装置に比べて、光の色を鮮やかにできる。
【００９５】
○　光源体は有機ＥＬ素子に限らず、例えば無機ＥＬ素子であってもよい。また、光源体はＥＬ素子以外のものであってよく、光共振器は、どのような光源体でも所定の波長の光を増幅できる。
【００９６】
○　色の種類はＲＧＢに限らず、他の色であってもよい。
○　共振させる色の数は３色に限らない。例えば２色であってもよい。
○　共振層を４つ以上備えてもよく、例えば、赤、青、緑以外の４色以上の組み合わせで備えてもよい。
【００９７】
○　光源体は白色発光に限らない。
○　液晶表示部はモノクロの液晶表示パネルであってもよい。
【００９８】
【発明の効果】
以上詳述したように請求項１〜請求項２２に記載の発明によれば、光源体から発光される光から複数種類の所定の色の光を、光の共振により増幅させて取り出すことができる。
【図面の簡単な説明】
【図１】液晶表示装置の模式断面図。
【図２】バックライトの部分模式断面図。
【図３】出射光のスペクトルを示す模式図。
【図４】別例の模式断面図。
【図５】他の別例の模式断面図。
【図６】他の別例の模式断面図。
【図７】他の別例の模式断面図。
【図８】他の別例の模式断面図。
【符号の説明】
１１…表示装置としての液晶表示装置、１２…液晶表示部としての液晶パネル、１３…バックライト、１９…カラーフィルタ、２３…有機ＥＬ素子、２４…第１電極、２４ａ，２４ｂ，２６ａ，２６ｂ，２８ａ，５１ａ，５５ａ，６１ａ，６５ａ，６５ｂ，６７ａ，７２ａ，７４ａ，７４ｂ，７６ａ…反射面としての面、２５…有機ＥＬ層、２６…第２電極、２８，６１…反射体としての反射ミラー、３１，７７…第１の共振層、３２，５２，５８，６８，７８…第２の共振層、３３，５３，５９，６２，６９，７９…第３の共振層、５１，５５，６５，７２，７４，７６…一部透過性の反射体としてのハーフミラー、λ１，λ２，λ３…波長。
【図１】
2004127588.tif 000003
【図２】
2004127588.tif 000004
【図３】
2004127588.tif 000005
【図４】
2004127588.tif 000006
【図５】
2004127588.tif 000007
【図６】
2004127588.tif 000008
【図７】
2004127588.tif 000009
【図８】
2004127588.tif 000010